(57)【特許請求の範囲】
【請求項１】
金型でリップシール（１）を成形してからそのシールリップ先端部（５ｂ）の内周部（５ｅ）をメスカット（Ｃ）するリップシールの製造方法において、
シールリップ基端部（５ａ）の内周部（５ｃ）と前記シールリップ先端部（５ｂ）の内周部（５ｅ）との間に断面直線状のテーパ形状（５ｇ）を成形するとともに前記テーパ形状（５ｇ）を狙ってメスカット（Ｃ）を行ない、
前記メスカット（Ｃ）は、前記テーパ形状（５ｇ）を始端部として、前記テーパ形状（５ｇ）からシールリップ（５）の内周尖端部（５ｄ）となる部分へ向けてこれを行ない、
前記テーパ形状（５ｇ）におけるテーパの中心軸線に対する傾斜角度（θ２）は、前記シールリップ基端部（５ａ）の内周部（５ｃ）におけるテーパの中心軸線に対する傾斜角度（θ１）よりも大きく設定され（θ２＞θ１）、かつ前記メスカット（Ｃ）の中心軸線に対する傾斜角度（θ３）よりも大きく設定され（θ２＞θ３）、前記メスカット（Ｃ）後、前記シールリップ基端部（５ａ）の内周部（５ｃ）と前記シールリップ先端部（５ｂ）の内周部（５ｅ）との間にはこれらよりも傾斜角度の大きな断面直線状のテーパ形状（５ｇ）が形成され、
前記リップシール（１）は、シリンダヘッドカバーとプラグチューブとの間をシールするプラグチューブシールであることを特徴とするリップシールの製造方法。
【発明の詳細な説明】
【０００１】
【発明の属する技術分野】
本発明は、密封装置の一種であるリップシールの製造方法に関するものである。
【０００２】
【従来の技術】
例えば図２に示すリップシール５１を製造する場合、従来は、図３に示す金型７１を使用してこれを成形している。
【０００３】
図２のリップシール５１は具体的には、シリンダのヘッドカバー６１とプラグチューブ６２との間をシールするプラグチューブシール（プラグチューブガスケットとも称する）であって、補強環５３を埋設した取付部５２と、連結部５４と、ガータスプリング５６を備えたシールリップ５５とをゴムを成形材料として断面千鳥状ないし断面略ｓ字状に一体成形したものである。
【０００４】
一方、図３の金型７１は複数の分割型を組み合わせたものであって、スプル７２、ランナ７３、注入ゲート７４およびキャビティ７５を備えており、成形に先立って予めキャビティ７５内に組み込まれるガータスプリング５６が成形材料７６の注入圧力に押されても定位置からずれることがないように、注入ゲート７４がキャビティ７５の内壁において、シールリップ基端部５５ａの内周部を形成する部分７５ａとシールリップ先端部５５ｂの内周部を形成する部分７５ｂとの間に開口している。
【０００５】
したがって、図２のリップシール５１を成形するに際しては先ず、図３の金型７１を使用してこのリップシール５１を成形し、次いで型開きおよび離型をしてリップシール５１を金型７１から取り出し、次いでバリを除去すべくリップシール５１をその注入ゲート部においてメスカットＣしている。
【０００６】
しかしながら、この従来技術においては、図３に示したように金型７１の注入ゲート７４の上面部に平面部７５ｄが設けられていて、この平面部７５ｄからシールリップ５５の内周尖端部を形成する部分７５ｃに向けてメスカットＣを行なっているために、以下のような不都合がある。
【０００７】
すなわち、上記平面部７５ｄが設けられているのに伴って、成形品であるリップシール５１におけるシールリップ基端部５５ａの内周部とシールリップ先端部５５ｂの内周部との間に所定の幅ｗを備えた環状の段差５５ｃ（図２参照）が形成されるが、この段差５５ｃが当該リップシール５１とプラグチューブ６２とを組み付けるときの引っ掛かりとなって邪魔である。すなわち、組付けに際してリップシール５１の内周側にプラグチューブ６２を挿入するときに、プラグチューブ６２の先端部がこの段差５５ｃに引っ掛かってリップシール５１の連結部５４等の一部が捲れてしまうことがあり、このようなことがあると、組付け不良によるシール不良が発生して油漏れが発生することがある。
【０００８】
【発明が解決しようとする課題】
本発明は以上の点に鑑みて、シールリップ基端部の内周部とシールリップ先端部の内周部との間に段差が形成されないようにし、もって組付け不良およびシール不良が発生しないようにしたリップシールの製造方法を提供することを目的とする。
【０００９】
【課題を解決するための手段】
上記目的を達成するため、本発明のリップシールの製造方法は、金型でリップシールを成形してからそのシールリップ先端部の内周部をメスカットするリップシールの製造方法において、シールリップ基端部の内周部と前記シールリップ先端部の内周部との間に断面直線状のテーパ形状を成形するとともに前記テーパ形状を狙ってメスカットを行ない、前記メスカットは、前記テーパ形状を始端部として、前記テーパ形状からシールリップの内周尖端部となる部分へ向けてこれを行ない、前記テーパ形状におけるテーパの中心軸線に対する傾斜角度θ２は、前記シールリップ基端部の内周部におけるテーパの中心軸線に対する傾斜角度θ１よりも大きく設定され（θ２＞θ１）、かつ前記メスカットの中心軸線に対する傾斜角度θ３よりも大きく設定され（θ２＞θ３）、前記メスカットＣ後、前記シールリップ基端部の内周部と前記シールリップ先端部の内周部との間にはこれらよりも傾斜角度の大きな断面直線状のテーパ形状が形成され、前記リップシールは、シリンダヘッドカバーとプラグチューブとの間をシールするプラグチューブシールであることを特徴とするものである。
【００１０】
上記構成を備えた本発明のリップシールの製造方法によれば、シールリップ基端部の内周部とシールリップ先端部の内周部との間に成形したテーパ形状を狙ってメスカットが行なわれ、すなわち、このテーパ形状を始端部としてメスカットが行なわれるために、シールリップ基端部の内周部とシールリップ先端部の内周部との間に従来のように段差が形成されるのを防止することが可能となる。尚、当該リップシールを製造する金型には、上記従来技術における平面部に代えて、テーパ形状を成形するための、これに対応した形状を備えた部分が設けられる。
【００１１】
【発明の実施の形態】
つぎに本発明の実施形態を図面にしたがって説明する。
【００１２】
【００１３】
【００１４】
【００１５】
第一実施形態・・・
当該実施形態に係るリップシールの製造方法は、図１（Ａ）に示すリップシール１を製造する方法であって、図示しない金型を使用してリップシール１を成形してから同図（Ｂ）に示すように注入ゲート部においてメスカットＣをするに際して、予め成形段階でシールリップ基端部５ａの内周部５ｃとシールリップ先端部５ｂの内周部５ｅとなる部分との間にテーパ形状（テーパ部とも称する）５ｇを成形しておき、このテーパ形状５ｇからシールリップ５の内周尖端部５ｄとなる部分に向けてメスカット（Ｃ）を行なうことにより、シールリップ基端部５ａの内周部５ｃとシールリップ先端部５ｂの内周部５ｅとの間に、従来のように組付けに際しての引っ掛かりとなるような平面状ないし端面状の段差が形成されないようになっている。
【００１６】
尚、このリップシール１は具体的には、シリンダのヘッドカバーとプラグチューブとの間をシールするプラグチューブシール（プラグチューブガスケットとも称する）であって、補強環３を埋設した取付部２と、連結部４と、ガータスプリング６を備えたシールリップ５とをゴムを成形材料として断面千鳥状ないし断面略ｓ字状に一体成形したものである。
【００１７】
上記テーパ形状５ｇは、環状であってかつ所定の長さＬを備えており、その断面形状は直線状であり、そのテーパの中心軸線に対する傾斜角度θ２は、シールリップ基端部５ａの内周部５ｃにおけるテーパの中心軸線に対する傾斜角度θ１より大きく設定されている（θ２＞θ１）。また、メスカットＣの中心軸線に対する傾斜角度θ３は、テーパ形状５ｇにおけるテーパの中心軸線に対する傾斜角度θ２より小さく設定され（θ２＞θ３）、更に、シールリップ基端部５ａの内周部５ｃにおけるテーパの中心軸線に対する傾斜角度θ１より小さく設定される（θ２＞θ１＞θ３）。
【００１８】
上記第一実施形態においては、シールリップ基端部５ａの内周部５ｃとシールリップ先端部５ｂの内周部５ｅとなる部分との間に成形したテーパ形状５ｇを狙ってメスカットＣが行なわれ、このテーパ形状５ｇからシールリップ５の内周尖端部５ｄとなる部分に向けてメスカットＣが行なわれるために、シールリップ基端部５ａの内周部５ｃとシールリップ先端部５ｂの内周部５ｅとの間に、従来のように組付けに際しての引っ掛かりとなるような平面状ないし端面状の段差が形成されるのを防止することが可能である。したがって、当該リップシール１とプラグチューブとの組付けに際してプラグチューブの挿入を容易化することができ、組付け不良およびシール不良が発生するのを防止することができる。更に、この効果は、メスカットＣ位置が径方向にばらついても、メスカットＣがテーパ形状５ｇの範囲内で行なわれる限り、維持される。
【００１９】
【発明の効果】
本発明は、以下の効果を奏する。
【００２０】
すなわち、上記構成を備えた本発明のリップシールの製造方法においては、シールリップ基端部の内周部とシールリップ先端部の内周部との間に成形したテーパ形状を狙ってメスカットが行なわれ、すなわち、このテーパ形状を始端部としてメスカットが行なわれるために、シールリップ基端部の内周部とシールリップ先端部の内周部との間に、従来のように組付けに際しての引っ掛かりとなるような平面状ないし端面状の段差が形成されるのを防止することが可能である。したがって、当該リップシールとプラグチューブとの組付けに際してプラグチューブの挿入を容易化することができ、組付け不良およびシール不良が発生するのを防止することができる。更に、この効果は、メスカット位置が径方向にばらついても、メスカットがテーパ形状の範囲内で行なわれる限り、維持することが可能である。
【図面の簡単な説明】
【図１】  （Ａ）は本発明の第一実施形態に係る製造方法によって製造されるリップシールの要部断面図、（Ｂ）は同方法の工程説明図
【図２】  従来例に係るリップシールの装着状態を示す半裁断面図
【図３】  従来例に係る製造方法の工程説明図
【符号の説明】
１ リップシール
２ 取付部
３ 補強環
４ 連結部
５ シールリップ
５ａ シールリップ基端部
５ｂ シールリップ先端部
５ｃ，５ｅ 内周部
５ｄ 内周尖端部
５ｇ テーパ形状
６ ガータスプリング
Ｃ メスカット
【図１】
0004484000.tif 000002
【図２】
0004484000.tif 000003
【図３】
0004484000.tif 000004